(57)【要約】本発明の舌針は、側壁が内側面にて成形された舌スリットを有している。舌スリット内には舌が例えばピンで支承されている。側壁の内側面の、ピンに近い領域は舌を側方案内しかつ舌と相俟ってわずかな遊びを規定している。このような形式で精確な支承装置が構成されている。舌スリットの残った部分は、舌スリットにおける舌の摩擦をできるだけ減少させるために比較的に大きいスリット幅を有していることができる。
2004504514.tif 000002
【特許請求の範囲】
【請求項１】
舌針、特に横編機用の舌針であって、
針体（２）に舌スリット（６）が構成され、該舌スリット（６）が互いに向き合った２つの側壁（７，８）の内側面によって制限されかつ針上側面（３１）に開口しており、
舌（５）の舌シャフト（１１）が前記舌スリット（６）内を延びかつ舌支承開口（１４）を有しており、
前記舌スリット（６）内に配置された支承装置（１８）によって前記舌（５）が前記舌スリット（６）内で、閉鎖位置と戻り位置との間で旋回可能に支承されている
形式のものにおいて、
互いに向き合った前記内側面の少なくとも一方が互いに分離した面領域（２３，２４）に分けられており、前記面領域（２３，２４）の一方が前記支承装置（１８）のところに配置されかつ他方が前記支承装置（１８）から間隔をおいて配置されており、
前記他方の面領域（２３）により制限された前記舌スリット（６）のスリット幅が、前記支承装置（１８）に近隣した、前記一方の面領域（２４）により制限されたスリット幅より大きいこと
を特徴とする、舌針。
【請求項２】
前記舌スリット（６）の前記両側壁（７，８）が、互いに分離した面領域（２３，２４）に分割されている、請求項１記載の舌針。
【請求項３】
前記面領域（２３，２４）の間に、該面領域（２３，２４）を互いに分離する線状又はストライプ状の分離領域（２７，３７）が構成されている、請求項１記載の舌針。
【請求項４】
前記両面領域（２３，２４）の間に、該面領域（２３，２４）を互いに分離する分離領域（２７，３７）として段部（２７）が構成されている、請求項１記載の舌針。
【請求項５】
前記両面領域（２３，２４）の間に、該面領域（２３，２４）を互いに分離する分離領域（２７，３７）として縁部（３７）が構成されている、請求項１記載の舌針。
【請求項６】
前記縁部（３７）に丸味が付けられている、請求項５記載の舌針。
【請求項７】
前記分離領域（２７，３７）が片側にて針上側面（３１）の輪郭に追従して構成されており、そこで舌（５）が舌スリット（６）から突出している、請求項３記載の舌針。
【請求項８】
前記分離領域（２７，３７）が湾曲させられて構成されている、請求項１記載の舌針。
【請求項９】
前記支承装置（１８）から離れた方の面領域（２３）が前記舌スリット（６）の開口側の拡大部を形成している、請求項１記載の舌針。
【請求項１０】
前記支承装置（１８）から離れた方の前記面領域（２３）が少なくとも、舌（５）が閉鎖位置で占拠する領域内へ延込んでいる、請求項１記載の舌針。
【請求項１１】
前記支承装置（１８）から離れた方の前記面領域（２３）が針上側面（３１）から出発して前記舌スリット（６）内へ、前記針上側面（３１）と前記支承装置（１８）との間の間隔の１／２よりも大きい間隔をもって延び込んでいる、請求項１記載の舌針。
【請求項１２】
前記支承装置（１８）から離れた方の前記面領域（２３）により規定された切欠きの深さが、少なくとも各側壁の壁厚さと同じである、請求項１記載の舌針。
【発明の詳細な説明】
【０００１】
本発明は、請求項１の上位概念として記載した特徴を有する舌針、特に横編機の舌針に関する。
【０００２】
舌針は種々のタイプの横編機に使用される。例えばドイツの特許明細書１１１３５３７号により公知である舌針は、端部側に構成されたフックを備えた針体を有している。このフックの近くには舌スリットが構成され、この舌スリット内には舌が旋回可能に支承されている。舌スリットの側壁と舌シャフトの側面は、舌を側方案内するために役立つ。これにより舌は自由端部で、いわゆる舌スプーンでフック先端に当接し、ひいては糸室を閉じることができる。この閉鎖位置から、舌は戻り位置へ旋回することができ、この戻り位置で舌は糸室を開放する。舌を旋回可能に支承するためには支承ピン又は支承軸ジャーナルが用いられる。
【０００３】
前記旋回運動はできるだけ軽やかに可能でなければならない。多くの場合、最新型の横編機は動きのきわめてスムースな舌を有する針を必要とする。舌はできるだけ正確に案内されているようにしたい。軽やかな運動性は新しい針でも古い針でも保証されていなければならない。動きの重い舌を有する針は不均一な編成をもたらし、ひいては悪い編成パターンを生ぜしめる。
【０００４】
多くの機械では、舌が編成過程の間に重力で戻り位置へ落下することが望まれる。これが確実に行なわれないと、舌が機械の部分、例えば糸ガイドエプロンに接触し、これによって曲がってしまう惧れがある。
【０００５】
舌の軽やかな動きは舌遊びを拡大することで達成することはできる。この処置によっては、舌スリット内へ侵入した汚染物、残留繊維及びそれに類似したものが舌の軽やかな動きを妨げる程度も小さくなる。しかしながら拡大された舌遊びは、針が新しい状態で、すでに舌の案内を悪化させる。この場合には舌は舌スプーンでフックに正確に当たらなくなり、ひいては糸室を確実に閉じることができなくなる。さらに摩耗が増大すると舌の案内は次第に劣化し、運転の確実性はさらに低下する。
【０００６】
舌遊びを拡大した場合の別の問題は、ＵＳ−ＰＳ１，９９１，１４０によって公知であるように、舌支承装置がスリット側壁から押出されたピンによって形成されている場合に発生する。舌を支承するためには支承開口を備えた舌が舌スリット内へ導入され、次いで２つの押圧ポンチ（圧刻具）でスリット壁の１部分が内方へ押出されるかもしくは打出され、このスリット側壁部分が舌の支承開口へ侵入し、舌のための支承ピンを形成する。この過程は比較的にわずかな舌遊びを必要とする。舌は特に支承開口を取囲む領域で、押出し又は打出し過程のための対応受けを形成する。舌の幅が舌スリットの幅よりもはっきりと狭いと、打出し又は押出し過程に際して舌支承装置が正確には形成されず、これによって舌針が所望の品質で製造されない可能性がある。
【０００７】
舌の閉鎖運動に際し、糸もしくはヤーンは舌シャフトの下側によって駆進させられて舌スリットの側壁の上側を滑動してフック内室へ達する。この場合には、糸が舌スリット又は舌シャフトのシャープな縁によって損傷されるという問題が頻繁に発生する。この結果、極端な場合には糸切れが生じることもある。
【０００８】
別の問題は舌シャフトと舌スリットとの間の遊びが増大するにつれて糸が舌シャフトと舌スリットの側壁との間に挟み込まれ、舌の軽やかな動きを妨げ、針が運転機能しなくなることである。
【０００９】
これから出発して本発明の課題は正確に案内された、軽やかに運動する舌を備えた舌針を提供することである。
【００１０】
本発明の課題は請求項１の特徴を有する舌針によって解決された。
【００１１】
本発明による舌針は、内側で互いに向き合った２つの側壁によって制限された舌スリットを有している。側壁の内側はそれぞれ少なくとも２つの面領域に分割され、これらの面領域の１つは支承装置のすぐ近くにあり、ひいては支承面を形成している。有利には前記面領域は支承装置を取囲んでいる。この面領域は舌の側方案内として役立ちかつ舌の側方の支承遊びを制限する。他方の面領域は支承装置から間隔をおいて配置されており、比較的に大きなスリット幅を規定している。側壁はこの面領域においては所定の程度だけ後退させられているので、舌シャフトと舌スリットの側壁との間には空間が発生する。これは舌の軽やかな運動性を促進させる。舌シャフトと側壁との間に発生した空間は、舌の軽やかな運動が著しく妨げられることなく繊維を受容することができる。特に側壁と舌シャフトとの間に糸又は繊維もしくはフィラメント及び塵が挟み込まれることは阻止される。
【００１２】
本発明による舌針では、舌の良好な案内と摩擦抵抗の減少と繊維とフィラメントとのための付加的な空間とが組合わされる。
【００１３】
これは、本発明による処置が一方の側壁だけに限られることなく、両方の側壁に用いられると特に効果的である。この場合には舌の旋回軸が垂直に位置する中心平面に関して対称的である舌針が得られる。この舌針においては舌の摩擦抵抗は舌の両側で低減させられる。
【００１４】
本発明による針では舌スリットは支承装置の近くの少なくとも１個所に、支承装置に対してより大きな間隔を有する少なくとも１つの他の個所よりもわずかな距離を有している。側壁の内側面における該当面領域の間の移行部は、縁として又は丸味部として又は段部として構成されていることができる。両方の面領域の間の縁はシャープな縁又は丸味のつけられた縁として構成されていることができる。面領域は平らであっても湾曲させられて構成されていることもできる。特に支承装置から離れて配置された面領域は湾曲して構成されていることができる。
【００１５】
わずかなスリット幅を規定する側壁の面領域は、支承装置のところに又は支承装置を取囲んで構成されているのに対し、他の面領域は有利にはスリット開口部に配置される。例えば前記面領域は針、例えば針上面の輪郭を追従する。該面領域はこの場合、開口に続くストライプを形成することができる。選択的に側壁の当該面領域を後退させかつ当該面領域に適当な形を与え、舌シャフトの両側にて当該側壁に突起を形成し、この突起を、ピンに配置されたシムのように作用させることもできる。この突起は舌を舌スリットの中央にセンタリングしかつ案内する。
【００１６】
舌針の支承装置は有利には一貫したピンであっても、分割されたピンであってもよい。分割されたピンは側壁の一部が変形プロセスで舌支承開口へ押込まれることで形成される。ピンは側壁にて押出されるか又は別個のピンを挿入することで製作される。
【００１７】
側方の舌遊びは支承装置の領域では有利には数１／１０００ ｍｍ、例えば０．０２ｍｍ又はそれよりも小さい。これに対し、拡大された舌スリットの領域（他の面領域）における舌遊びは有利には支承装置の領域におけるよりも著しく大きいかもしくは０．０３ミリメートルよりも大きい。これによって舌の側面と側壁の内側面との間には十分なスリット又は空間が得られる。このギャップ又はスリットは均一な厚さを有しているか又は楔形に構成されていることができる。このギャップ又はスリットは有利には舌の旋回領域の少なくとも１部に亘って延在する。このギャップ又はスリットは区分に分けられていることができる。これらの区分は例えば旋回終端位置から支承個所の近くまで延在することができる。舌を戻し位置へ完全に移すことを容易にするためには拡大された舌スリット領域も舌の戻し位置まで延在することができる。
【００１８】
実施例
図１には舌針１が原理図で示されている。舌針１は針体２を有し、針体２の自由端にはフック３が構成されている。このフック３はフック先端部４で終わっており、フック先端部４は針体２に旋回可能に支承された舌５の対応受け及び支持部として作用する。舌５を受容するためには針体２に舌スリット６が構成されている。この舌スリット６は２つの側壁７，８で制限されている。側壁７，８はそれぞれ互いに鏡像対称的に構成されておりかつ互いに平行に配置されている。
【００１９】
舌５は一方の端部１２で舌スリット６内へ突入する舌シャフト１１を有している。端部１２は特に図２から判るように、舌５の支承に役立つ舌支承開口１４を備えている。反対側の端部１５に舌５は舌スプーン１６を有し、該舌スプーン１６はフック側に切欠き１７（凹部）を有している。したがってこの実施例は舌スプーン付き舌針である。択一的にフック３もしくはフック先端部４が凹部を有し、該凹部に舌５が、適当に先細にされた区分で嵌合させられることができる。閉鎖位置（図２）では舌５はフック内室１９を閉鎖する。
【００２０】
舌５を舌スリット６内で旋回可能に支承するためには図３から判るように２つのハーフピン１８ａ，１８ｂから成るピン１８が用いられる。ハーフピン１８ａと１８ｂは図３に示されているように側壁７，８の壁部分から形成されている。該壁部分は押込み又は打出しプロセスで側壁から押出されかつ舌支承開口１４へ押込まれる。
【００２１】
舌５は２つの側面２１，２２を有し、該側面２１，２２は例えば平らにかつ互いに平行に構成されていることができる。必要な場合には側面２１，２２は互いに角度を成すように方向づけられ、舌５がほぼ楔状に構成されることもできる。側面２１，２２は平らに又は湾曲させられて又は段状に又は他の形状に構成されていることもできる。舌５は、ピン１８によって規定された旋回軸８が垂直に位置する中央平面に対し対称的であると有利である。
【００２２】
図３にて一点鎖線Ｅによって示した前記中央平面に対し側壁７，８も同様に対称的に構成されている。したがって側壁７に関する以後の記述は側壁８にも当嵌まる。
【００２３】
側壁７は２つの面領域２３，２４に分割された内側面を有している。面領域２３，２４は互いに分離されかつ異なったスリット幅を規定している。面領域２４はピン１８により形成された支承装置のすぐ近くに配置されかつ特に支承装置、つまりピン８の領域に、舌５のここに存在する幅よりもわずかにしか大きくないスリット幅を規定する。これによって支承装置のところでは舌５の両側に、１０００分の数ミリメートルの支承ギャップ２５，２６が生じる。例えば両方の支承ギャップ２５，２６で規定された支承遊びはここでは０．０２ｍｍに制限される。
【００２４】
これに対し、面領域２３は、有利にはより大きなスリット幅を規定する。これは、面領域２３が図３から判るように段部２７で面領域２４へ移行することで達成される。これによって舌５の各側面２１，２２と面領域２３との間には、中間幅又は平均幅が支承ギャップ２５，２６の中間幅又は平均幅よりも大きいギャップ２８，２９が規定される。面領域２３は、針上側面３１とこれに向き合った針背との間で測って、支承ピン１８と針上側面との間の間隔の１／２よりも大きい高さを有していると有利である。切欠きの深さのための択一的な根拠としては、側壁７，８の厚さを用いることができる。面領域２３の高さは有利には側壁７，８の厚さよりも大きい。このようにして所望される軽やかな運動性と所望される精度とが達成される。
【００２５】
これまで記述した舌針は以下の通り働く：
運転中には舌針１は往復運動を行ない、この往復運動に際して舌針の針体２はその長手方向に動かされる。その際、舌５は旋回軸Ｓを中心として、図２に示された閉鎖位置から図１の中間位置を介し、戻り位置へかつその反対の方向へ往復旋回運動を行なう。戻り位置から出発して糸は側壁７，８の上側面９，１０を越え、舌シャフト１１によって駆動されてフック内室１９内へ滑動させられる。
【００２６】
これまでに記述した舌針１は改善された編成動作を呈する：
図３に示したように舌針１の舌５はその端部１２によって舌スリット６内にてピン１８の上で案内される。この案内はただ側壁７，８の面領域２４だけで行なわれ、面領域２３では行なわれないことが理想的である。舌シャフト１１はその限りにおいては舌スリット６内に自由に位置し、特に面領域２３には接触しない。舌５は面領域２４によって端部１２にて、舌スプーン１６がフック３もしくはフック先端部４にわずかな平均偏差で当たるように精確に案内されている。舌５の精確な案内は摩耗しろを成す。すなわち、摩耗の進行に伴って舌５の側方遊びが増加しても、この側方遊びは許容誤差内に留まる。後退させられた面領域２３はギャップ２８，２９で空所を形成し、この空所は舌５の側面２１，２２及び／又は側壁７，８の内側面にオイル又は残留繊維、汚染物が堆積しても舌５の運動の阻止を回避するか又は軽減する。
【００２７】
舌針１の比較的に長い運転のあとで摩耗が開始して舌の支承遊びがいくらか増大しても、支承装置の領域における面領域２４による舌５の精確な案内は、舌５の側面２１，２２と面領域２３との間の接触を阻止する。
【００２８】
有利な実施例では舌スリット６は、図２に示されているように針体２を貫いて延在し、上面側（針上側面３１）においても背面側においても開放している。舌スリット６の針上側面の開口の幅は段部２７と面領域２３とを形成する付加的なフライス加工又はエンボス加工によって拡げられている。これにより、面領域２３はフック側の端部３２から、支承装置のほぼ上側にある中央領域３３を経て、舌５が戻り位置にあると舌５のシャフト１１が占拠する端部領域３４まで延在する。これによってこの面領域２３は少なくともほぼ、舌５の全旋回領域に亘って延在することになる。面領域２３の前記の特殊な構成によって、舌５の案内は閉鎖位置でも戻し位置でも精確になる。何故ならば舌５のシャフト１１は前述の位置では面領域２４により規定された狭い舌スリット領域に深く侵入するからである。これは最終的には、面領域２３がほぼコンスタントな幅で針上側面３１を追従することで達成される。
【００２９】
択一的に面領域２３はストライプ形状とは異なる形を有し、段部２７が針上側面３１の輪郭をもはや追従しなくなるようにすることもできる。さらに面領域２３は例えば図６に示したように面領域部分２３ａ，２３ｂに分けられていることができる。これにより、舌摩擦のきわめて進んだ減衰と、舌の精確な支承と案内とを組合わせることに成功した。
【００３０】
面領域２３，２４が図２及び図６に示された実施例とは異なって構成されていることのできる択一的な実施例では、図４に示されているように、段部２７の代りに、面領域２３，２４を互いに分離する縁３７が設けられている。図面を見やすくするために図４では支承装置の図示は省略した。この支承装置は旋回軸だけでシンボル化されて示されている。支承装置はピンによっても、軸ジャーナルによっても形成されていることができる。面領域２３，２４は先きの実施例の場合にようにほぼ平らに構成されていることができるが、しかし図３の先きの実施例とは異なって、ここ（図４）では互いに平行ではなく配置されていることができる。面領域２３は針上側面３１に向かって舌スリット６をホッパ状に拡幅している。これによりギャップ２８，２９は楔形になる。この場合、ギャップ幅は舌スリット６の開口の領域では面領域２４の間の間隔よりも大きい。面領域２３のほぼ中央で測定された中央のギャップ幅はすでに、面領域２４におけるギャップ幅よりもはっきりと、つまり１０００分の数ミリメートル大きいと有利である。
【００３１】
さらに図５から判るように、面領域２３は湾曲させられて構成されるか又は湾曲させられて面領域２４へ移行させられていることができる。これにより、舌５の摩擦を減少させる舌スリット６のホッパ状の拡大が達成される。この場合、舌の良好な案内は面領域２４によって保証される。この面領域２４はピン１８を取囲む平らな面であると有利である。
【００３２】
本発明による舌針１は側壁７，８が内側面にて成形されている舌スリット６を有している。この舌スリット６内には舌５が例えばピン１８で支承されている。側壁７，８の内側面の、ピン１８にすぐ近隣した領域は、舌５の側方案内として役立ち、舌５と相俟ってわずかな遊びを規定する。このような形式で精確な支承装置が構成される。残った舌スリット６は、舌スリット６における舌５の摩擦をできるだけ減少させるために、比較的に大きなスリット幅を有していることができる。
【図面の簡単な説明】
【図１】
舌針の１部を略示的に示した斜視図。
【図２】
図１の舌針の１部を部分的に断面して示した側面図。
【図３】
図１と図２の舌針の１部を異なった寸法で示した横断面図。
【図４】
本発明の舌針の変化実施例を示した断面図。
【図５】
本発明の舌針の変化実施例の断面図。
【図６】
本発明の舌針の変化実施例を部分的に断面して示した側面図。
【符号の説明】
１　舌針、　２　針体、　３　フック、　４　フック先端、　５　舌、　６　舌スリット、　７，８　側壁、　９，１０　上側面、　１１　舌シャフト、　１２　端部、　１４　舌開口、　１５　端部、　１６　舌スプーン、　１７　切欠き、　１８　ピン、　１９　フック内室、　２１，２２　側面、　２３，２４　面領域、　２５，２６　支承ギャップ、　２７　段部、　２８，２９　ギャップ、　３１　針上側面、　３２　端部、　３３　中央領域、　３４　端部領域、　３７　縁
【国際公開パンフレット】
2004504514.tif 000003
2004504514.tif 000004
2004504514.tif 000005
2004504514.tif 000006
2004504514.tif 000007
2004504514.tif 000008
2004504514.tif 000009
2004504514.tif 000010
2004504514.tif 000011
2004504514.tif 000012
2004504514.tif 000013
2004504514.tif 000014
2004504514.tif 000015
2004504514.tif 000016
2004504514.tif 000017
2004504514.tif 000018
2004504514.tif 000019
2004504514.tif 000020
2004504514.tif 000021
2004504514.tif 000022
2004504514.tif 000023
2004504514.tif 000024
2004504514.tif 000025
【国際調査報告】
2004504514.tif 000026
2004504514.tif 000027
2004504514.tif 000028
2004504514.tif 000029